(57)【要約】【課題】  デジタルカメラにワイド画面（ワイドアスペクト比のモニタ画面）を採用し、ワイド画面の領域を有効に活用することによって動画と切り取った画像の静止画をモニタ画面に並列表示して動画を編集できる、デジタルカメラ、動画編集方法、及びプログラムの提供  【解決手段】  動画１１Ｍが再生表示されているとき、ユーザが任意のタイミングでＤＩＳＰボタンを押すと、押した時点で表示領域Ｒ１に表示されていた画像１１−（ｊ）が切り取られて表示領域Ｒ２に縮小されて静止画表示される。前スクロールボタン１１Ｆが１回クリックされると、切り取った静止画像１１−（ｊ）の１コマ前の画像１１−（ｊ−１）が縮小されて表示領域Ｒ２に静止画表示され、表示領域Ｒ２に表示されていた静止画１１−（ｊ）がシフトされて表示領域Ｒ３に表示される。【選択図】  図１１
2006229267.tif 000002
【特許請求の範囲】
【請求項１】
所定のアスペクト比の画像を撮影して複数枚記録し、記録画像を再生可能なデジタルカメラにおいて、
前記所定のアスペクト比よりも大きいワイドアスペクト比のモニタ画面を有する表示部と、
再生時に、記録されている動画データの中から選択した動画データを前記モニタ画面上の所定の動画表示領域に再生表示する動画再生手段と、
前記動画表示領域に表示されている動画から任意の静止画を切り取る指示を出すための切り取り指示操作手段と、
前記切り取り指示操作手段の操作により切り取り指示が出されたとき、前記動画表示領域に表示されている動画から切り取り指示があった時点の静止画を切り取ってモニタ画面上の所定の静止画表示領域に表示する静止画表示手段と、
を備えたことを特徴とするデジタルカメラ。
【請求項２】
更に、前記動画表示領域及び静止画表示領域を設定する表示領域設定手段を備えたことを特徴とする請求項１記載のデジタルカメラ。
【請求項３】
前記静止画表示手段は、前記切り取った静止画を前記静止画表示領域のサイズに合うように縮小又は拡大して表示する手段を含むことを特徴とする請求項１または２記載のデジタルカメラ。
【請求項４】
前記静止画表示領域は複数の表示領域からなり、
更に、スクロール指示操作手段と、
前記スクロール指示操作手段によるスクロール指示があると、第１の静止画表示領域に表示されている静止画像の前または後の静止画を前記動画データから切り出して表示するスクロール画像表示手段と、
を備えたことを特徴とする請求項１記載のデジタルカメラ。
【請求項５】
前記スクロール画像表示手段は、
前記スクロール指示操作手段による前方スクロール指示があると、前記動画データの中から第１の静止画表示領域に表示されている静止画より前のコマの静止画を切り出す手段と、切り出した静止画を第１の他の静止画表示領域に表示する手段と、
前記スクロール指示操作手段による後方スクロール指示があると、前記動画データの中から第１の静止画表示領域に表示されている静止画より後のコマの静止画を切り出す手段と、切り出した静止画を第１の静止画表示領域に表示する手段と、第１の静止画表示領域に表示されていた静止画を他の静止画表示領域に表示する手段と、
を含むことを特徴とする請求項４に記載のデジタルカメラ。
【請求項６】
前記静止画表示領域は複数の表示領域からなり、
動画と静止画を入れ替えるための表示領域を指定する入れ替え表示領域指定手段と、
前記動画表示領域に表示されている動画を前記入れ替え表示領域指定手段によって指定された静止画表示領域に表示し、前記入れ替え表示領域指定手段によって指定された静止画表示領域に表示に表示されていた静止画を前記動画表示領域に表示する画像入れ替え表示手段と、
を備えたことを特徴とする請求項１記載のデジタルカメラ。
【請求項７】
前記静止画表示手段による静止画領域における静止画表示と前記動画記静止画表示手段による動画表示領域における動画表示を並行して実行する手段を備えたことを特徴とする請求項１乃至６のいずれか１項に記載のデジタルカメラ。
【請求項８】
前記スクロール指示操作手段によるスクロール動作時に静止画領域における静止画表示と前記動画記静止画表示手段による動画表示領域における動画表示を並行して実行する手段を備えたことを特徴とする請求項１乃至６のいずれか１項に記載のデジタルカメラ。
【請求項９】
前記入れ替え手段による画像の入れ替え時に、静止画領域における静止画表示と前記動画記静止画表示手段による動画表示領域における動画表示を並行して実行する手段を備えたことを特徴とする請求項１乃至６のいずれか１項に記載のデジタルカメラ。
【請求項１０】
前記切り取り指示操作手段による操作があると動画表示を停止する停止手段と、前記停止手段による動画表示停止を解除して動画表示を再開させる解除手段と、を備えたことを特徴とする請求項１乃至６のいずれか１項に記載のデジタルカメラ。
【請求項１１】
前記スクロール指示操作手段によるスクロール動作がなされている間は、動画表示を停止する手段を備えたことを特徴とする請求項１乃至６のいずれか１項に記載のデジタルカメラ。
【請求項１２】
所定のアスペクト比の画像を撮影して複数枚記録し、再生時に、前記所定のアスペクト比よりも大きいワイドアスペクト比のモニタ画面に記録画像を再生可能なデジタルカメラの動画像編集方法において、
再生時に、記録されている動画データの中から所望の動画データを選択するステップと、選択された動画データを再生して前記モニタ画面上の所定の動画表示領域に再生表示するステップと、
前記動画表示領域に表示されている動画から任意の静止画を切り取る切り取り指示を検出するステップと、
前記切り取り指示を検出したとき、前記動画表示領域に表示されている動画から切り取り指示があった時点の静止画を切り取るステップと、切り取った静止画を前記モニタ画面上の所定の静止画表示領域に表示するステップと、
を備えたことを特徴とする動画編集方法。
【請求項１３】
更に、動画再生前に、前記動画表示領域及び静止画表示領域を設定するステップを備えたことを特徴とする請求項１２に記載の動画編集方法。
【請求項１４】
前記静止画表示領域は複数の表示領域からなり、更に、スクロール指示を検出するステップと、第１の静止画表示領域に表示されている静止画像の前または後の静止画を前記動画データから切り出すステップと、切り出した画像を表示するステップと、を備えたことを特徴とする請求項１２に記載の動画編集方法。
【請求項１５】
前記静止画表示領域は複数の表示領域からなり、動画と静止画を入れ替えるための表示領域の指定を検出するステップと、前記動画表示領域に表示されている動画を前記指定された静止画表示領域に表示するステップと、前記指定された静止画表示領域に表示に表示されていた静止画を前記動画表示領域に表示するステップと、を備えたことを特徴とする請求項１２に記載の動画編集方法。
【請求項１６】
請求項１２乃至１５のいずれか１項に記載の動画像編集方法をデジタルカメラのコンピュータに実行させるプログラム。
【発明の詳細な説明】
【技術分野】
【０００１】
本発明は、横長液晶モニタなどのワイドアスペクト比のモニタ画面を備えたデジタルカメラ及びワイドアスペクト比のモニタ画面を活用した動画編集技術に関する。
【背景技術】
【０００２】
デジタルカメラやカメラ付き携帯電話において、撮像素子の画素数が１００万画素、２００万画素、・・・５００万画素、・・・と増大しつつあり、それに伴い画像を表示するモニタ画面も１．８インチ、２インチ、２．５インチ、・・・と大型化が進んでいる。テレビジョン受像機においてはアスペクト比が１６：９のいわゆるワイド画面が普及しているが、デジタルカメラやカメラ付き携帯電話においては４：３のアスペクト比が主流である。これは、撮像素子がワイド画面に対応していないので、表示だけワイド化してもあまり意味がないからであった。
【０００３】
ここで、ワイド画面を撮影できるようにするとともにワイド画面のモニタを設けた先行技術がある（例えば、特許文献１参照）。  
また、パノラマ表示のためにワイド画面のモニタを設けたものがある（例えば、特許文献２参照）。
【０００４】
他方、動画再生技術において、動画再生時に画面を静止させると画面一杯に静止画が表示されてしまい動画が見えなくなるのは、普通のビデオテープの再生や、画面静止機能のあるテレビジョン受信機で周知である。
【０００５】
また、記録されている動画を再生する際に動画を縮小して画面上にマルチ表示し、指定された動画を静止画として取り込んでその動画が表示されていた位置に表示したり、その動画が表示されていた位置とは異なる画面上の位置に表示する技術がある（例えば、特許文献３参照）。
【特許文献１】特開平１１−０４３９８号
【特許文献２】特開２００３−１８９１５３号
【特許文献３】特開平８−２６５７０３号
【発明の開示】
【発明が解決しようとする課題】
【０００６】
特許文献１に記載の技術は、１コマ１コマの画像をリアルタイムで自動的に張り合わせることが可能であり、ユーザのカメラ操作により得た広い視野角の映像から、ワイドでかつ高精細な静止画を作りあげるデジタルワイドカメラを実現するというものであるが、ワイドアスペクト比のモニタ画面のモニタ画面全面に画像を表示するため、ワイド画面の領域を有効に活用する工夫はなされていないといった課題があり、また、動画再生時に静止画を切り取って動画が表示されている位置とは異なる画面上の他の位置に表示することはできないといった課題があった。
【０００７】
また、特許文献２に記載の技術は、パノラマ映像を撮影すると共に、ワイドアスペクト比のモニタ画面のディスプレイにおいてパノラマ画像を観察することを可能とし、立体感を確認しながら撮影することを可能とした撮像装置を提供するものであり、やはりワイドアスペクト比のモニタ画面のモニタ画面全面に画像を表示するため、ワイド画面の領域を有効に活用する工夫はなされていないといった課題があり、特許文献１に開示の技術と同様に、動画再生時に静止画を切り取って動画が表示されている位置とは異なる画面上の他の位置に表示することはできないといった課題があった。
【０００８】
また、特許文献３に記載の技術のうちでは、マルチ表示されている動画を動画が表示されている位置とは異なる画面上の他の位置に表示することができるので、動画再生時に気に入った場面（例えば、図１０（ａ））を静止画に切り取る場合に切り取り指示操作を行なうと動画１０−１の上に静止画１０−２が表示されてしまってその動画１０−１が見えない（図１０（ｂ））といった不都合は生じないが、デジタルカメラや携帯電話機のように画面サイズが小さめに制限されている携帯情報機器では画像を縮小してマルチ表示すると見にくいといった不都合がある。
【０００９】
また、同特許文献３に開示の技術では、マルチ画面に表示された動画を所望のタイミングで静止画として取り込んで動画が表示されていた位置に静止画表示すると共に、動画表示位置をマルチ画面の次の画面にシフトさせて動画を表示したり（同特許文献の請求項２参照）、マルチ画面上の固定位置に動画を表示し、所望のタイミングで静止画として取り込んでマルチ画面の他の位置に表示し、更に取り込まれた静止画をマルチ画面に表示された静止画の次の位置に表示するといった動作をマルチ画面が一杯になるまで繰り返すことはできるが、固定位置に表示される動画を任意のタイミングで切り出して固定位置に静止画として表示したり、表示させた静止画を前後にスクロールして所望の静止画を切り出すといった編集動作を行なったり、サイズが小さめに制限された画面上で、動画や切り出された静止画を見やすく表示するために（マルチ表示用の２次元配列とは異なった）画像表示領域を画面上に設定することができないといった課題があった。 
【００１０】
本発明は上記事情に鑑みてなされたもので、デジタルカメラにワイド画面（ワイドアスペクト比のモニタ画面）を採用し、ワイド画面の領域を有効に活用することによって動画と切り取った画像の静止画をモニタ画面に表示して所望の動画を編集を行なうことのできる、デジタルカメラ、動画編集方法、及びプログラムの提供を目的とする。
【課題を解決するための手段】
【００１１】
上記課題を解決するため、請求項１記載の発明では、所定のアスペクト比の画像を撮影して複数枚記録し、記録画像を再生可能なデジタルカメラにおいて、ワイドアスペクト比のモニタ画面を有する表示部と、記録媒体に記録されている動画データの中から選択した動画データをモニタ画面上の所定の動画表示領域に再生表示する動画再生手段と、動画表示領域に表示されている動画から任意の静止画を切り取る指示を出すための切り取り指示操作手段と、切り取り指示操作手段の操作により切り取り指示が出されたとき、動画表示領域に表示されている動画から切り取り指示があった時点の静止画を切り取ってモニタ画面上の所定の静止画表示領域に表示する静止画表示手段と、を備えたことを特徴とするデジタルカメラを提供する。  
これにより、デジタルカメラは、記録媒体に記録されている動画を再生して所望の静止画像を取得しようとする際にワイドアスペクト比のモニタ画面の領域を動画表示領域と静止画表示領域に分けて動画表示領域に動画を表示し、静止画表示領域に切り取った静止画を表示するので、切り取った静止画が動画上に重なって動画が見えなくなるようなことがない。また、動画と静止画が一定の位置に表示されるので、切り取った静止画がどこに表示されているかを探さなくてもよく、静止画が見やすい。つまり、本発明により、画面サイズ上の制限がないテレビ受信機やＤＶＤ等のような大きな画面サイズを備えた画像再生装置と比べるとサイズ上の制限により画面の活用方法が著しく制約されているデジタルカメラのワイドアスペクト比のモニタ画面の領域を有効に活用することができる。
【００１２】
また、請求項２に記載の発明では、更に、動画表示領域及び静止画表示領域を設定する表示領域設定手段を備えたことを特徴とする請求項１記載のデジタルカメラを提供する。  
これにより、デジタルカメラは、動画を表示する動画表示領域と切り取った静止画を表示する静止画表示領域を設定できるので、ワイドアスペクト比のモニタ画面の領域を有効に活用できる。
【００１３】
また、請求項３に記載の発明では、静止画表示手段は、切り取った静止画を静止画表示領域のサイズに合うように縮小又は拡大して表示する手段を含むことを特徴とする請求項１または２記載のデジタルカメラを提供する。  
これにより、静止画表示領域の大きさに係わりなく切り取った静止画を静止画表示領域に表示できるので、ワイドアスペクト比のモニタ画面の領域の活用の自由度が増し更にモニタ画面の領域の有効利用が可能となる。
【００１４】
また、請求項４に記載の発明では、静止画表示領域は複数の表示領域からなり、更に、スクロール指示操作手段と、スクロール指示操作手段によるスクロール指示があると、第１の静止画表示領域に表示されている静止画像の前または後の静止画を動画データから切り出して表示するスクロール画像表示手段と、を備えたことを特徴とする請求項１記載のデジタルカメラを提供する。  
これにより、ユーザが動画表示中にスクロール指示操作を行なう際、ユーザが所望する静止画像と切り出した画像が異なってもスクロール操作により、動画から前後の静止画像を切り出して所望の静止画像を取得することができる。
【００１５】
また、請求項５に記載の発明では、スクロール画像表示手段は、スクロール指示操作手段による前方スクロール指示があると、動画データの中から第１の静止画表示領域に表示されている静止画より前のコマの静止画を切り出す手段と、切り出した静止画を第１の他の静止画表示領域に表示する手段と、スクロール指示操作手段による後方スクロール指示があると、動画データの中から第１の静止画表示領域に表示されている静止画より後のコマの静止画を切り出す手段と、切り出した静止画を第１の静止画表示領域に表示する手段と、第１の静止画表示領域に表示されていた静止画を他の静止画表示領域に表示する手段と、を含むことを特徴とする請求項４に記載のデジタルカメラを提供する。  
これにより、ユーザが動画表示中にスクロール指示操作を行なう際、ユーザのスクロール指示操作が遅れて所望の静止画像と切り出した画像が異なっても前スクロール操作により、動画データから１コマずつ遡った静止画像を切り出して表示することができる。切り出した静止画より後の静止画を見たいような場合には前スクロール操作により、動画データから１コマずつ後の 静止画像を切り出して表示することができる。
【００１６】
また、請求項６に記載の発明では、静止画表示領域は複数の表示領域からなり、動画と静止画を入れ替えるための表示領域を指定する入れ替え表示領域指定手段と、動画表示領域に表示されている動画を入れ替え表示領域指定手段によって指定された静止画表示領域に表示し、入れ替え表示領域指定手段によって指定された静止画表示領域に表示に表示されていた静止画を動画表示領域に表示する画像入れ替え表示手段と、を備えたことを特徴とする請求項１記載のデジタルカメラを提供する。  
これにより、静止画像表示領域に表示されている静止画像を動画表示領域で表示するので静止画を見やすい。また、動画表示領域に表示されていた動画は動画表示領域表示された静止画が表示されていた静止画表示領域に表示されるので、ユーザはその動画を見て切り取り指示操作を行なって動画から他の静止画を切り出すこともできる。
【００１７】
また、請求項７に記載の発明では、静止画表示手段による静止画領域における静止画表示と動画記静止画表示手段による動画表示領域における動画表示を並行して実行する手段を備えたことを特徴とする請求項１乃至６のいずれか１項に記載のデジタルカメラを提供する。  
これにより、切り取った静止画を表示している間でも途切れなく動画表示が行なわれるので、ユーザは動画表示領域に連続的に表示される動画を見ながら所望のタイミングで静止画像をいくつか切り出し、静止画表示領域に表示して所望の静止画像を取得することができる。また、動画表示が静止画切り出しにより途切れないので見やすく、短時間に静止画の編集を行なうことができる。
【００１８】
また、請求項８に記載の発明では、スクロール指示操作手段によるスクロール動作時に静止画領域における静止画表示と動画記静止画表示手段による動画表示領域における動画表示を並行して実行する手段を備えたことを特徴とする請求項１乃至６のいずれか１項に記載のデジタルカメラを提供する。  
これにより、切り取った静止画を表示している間でも途切れなく動画表示が行なわれるので、ユーザは動画表示領域に連続的に表示される動画を見ながらスクロール指示操作を行なうことができる。
【００１９】
また、請求項９に記載の発明では、入れ替え手段による画像の入れ替え時に、静止画領域における静止画表示と動画記静止画表示手段による動画表示領域における動画表示を並行して実行する手段を備えたことを特徴とする請求項１乃至７のいずれか１項に記載のデジタルカメラを提供する。  
これにより、動画と静止画を入れ替えた後、静止画が表示されていた領域に動画と静止画を入れ替えるまえの動画から続けて動画表示が行なわれるので、動画の流れが分かりやすい。
【００２０】
また、請求項１０に記載の発明では、切り取り指示操作手段による操作があると動画表示を停止する停止手段と、停止手段による動画表示停止を解除して動画表示を再開させる解除手段と、を備えたことを特徴とする請求項１乃至６のいずれか１項に記載のデジタルカメラを提供する。  
これにより、静止画像を切り取って静止画表示領域に表示する際には動画表示を停止するので、ユーザは、表示領域に表示された静止画を時間的余裕をもって見ることができる。
【００２１】
また、請求項１１に記載の発明では、スクロール指示操作手段によるスクロール動作がなされている間は、動画表示を停止する手段を備えたことを特徴とする請求項１乃至６のいずれか１項に記載のデジタルカメラを提供する。  
これにより、スクロール操作を行なう際には動画表示を停止するので、ユーザは表示領域に表示された静止画のスクロール操作に集中して所望の静止画を取得することができる。
【００２２】
また、請求項１２に記載の発明では、所定のアスペクト比の画像を撮影して複数枚記録し、再生時に、所定のアスペクト比よりも大きいワイドアスペクト比のモニタ画面に記録画像を再生可能なデジタルカメラにおいて、ワイドアスペクト比のモニタ画面を有し、記録媒体に記録された動画データを再生可能なデジタルカメラにおける動画編集方法であって、記録媒体に記録されている動画データの中から所望の動画データを選択するステップと、選択された動画データを再生してモニタ画面上の所定の動画表示領域に再生表示するステップと、動画表示領域に表示されている動画から任意の静止画を切り取る切り取り指示を検出するステップと、切り取り指示を検出したとき、動画表示領域に表示されている動画から切り取り指示があった時点の静止画を切り取るステップと、切り取った静止画をモニタ画面上の所定の静止画表示領域に表示するステップと、を備えたことを特徴とする動画編集方法を提供する。  
これにより、記録媒体に記録されている動画を再生して所望の静止画像を取得しようとする際にワイドアスペクト比のモニタ画面の領域を動画表示領域と静止画表示領域に分けて動画表示領域に動画を表示し、静止画表示領域に切り取った静止画を表示するので、切り取った静止画が動画上に重なって動画が見えなくなるようなことがない。また、動画と静止画が一定の位置に表示されるので、切り取った静止画がどこに表示されているかを探さなくてもよく、静止画が見やすい。つまり、本発明により、画面サイズ上の制限がないテレビ受信機やＤＶＤ等のような大きな画面サイズを備えた画像再生装置と比べるとサイズ上の制限により画面の活用方法が著しく制約されているデジタルカメラのワイドアスペクト比のモニタ画面の領域を有効に活用することができる。
【００２３】
また、請求項１３に記載の発明では、更に、動画再生前に、動画表示領域及び静止画表示領域を設定するステップを備えたことを特徴とする請求項１２に記載の動画編集方法を提供する。  
これにより、動画を表示する動画表示領域と切り取った静止画を表示する静止画表示領域を設定できるので、ワイドアスペクト比のモニタ画面の領域を有効に活用できる。
【００２４】
また、請求項１４に記載の発明では、静止画表示領域は複数の表示領域からなり、更に、スクロール指示を検出するステップと、第１の静止画表示領域に表示されている静止画像の前または後の静止画を動画データから切り出すステップと、切り出した画像を表示するステップと、を備えたことを特徴とする請求項１２に記載の動画編集方法を提供する。  
これにより、ユーザが動画表示中にスクロール指示操作を行なう際、ユーザが所望する静止画像と切り出した画像が異なってもスクロール操作により、動画から前後の静止画像を切り出して所望の静止画像を取得することができる。
【００２５】
また、請求項１５に記載の発明では、静止画表示領域は複数の表示領域からなり、動画と静止画を入れ替えるための表示領域の指定を検出するステップと、動画表示領域に表示されている動画を指定された静止画表示領域に表示するステップと、指定された静止画表示領域に表示に表示されていた静止画を動画表示領域に表示するステップと、を備えたことを特徴とする請求項１２に記載の動画編集方法を提供する。  
これにより、静止画像表示領域に表示されている静止画像を動画表示領域で表示するので静止画を見やすい。また、動画表示領域に表示されていた動画は動画表示領域表示された静止画が表示されていた静止画表示領域に表示されるので、ユーザはその動画を見て切り取り指示操作を行なって動画から他の静止画を切り出すこともできる。
【００２６】
また、請求項１６に記載の発明では、請求項１３乃至１６のいずれか１項に記載の表示方法をデジタルカメラのコンピュータに実行させるプログラムを提供する。  
これにより、デジタルカメラはワイドアスペクト比のモニタ画面の動画表示領域に表示されている静止画の切り取り指示を検出すると、その静止画を切り出して所定の静止画表示領域に動画と重なることなく表示できる。
【発明の効果】
【００２７】
本発明によれば、サイズ上の制限により画面の活用方法が著しく制約されているデジタルカメラのワイドアスペクト比のモニタ画面の領域を有効に活用することができる。
【発明を実施するための最良の形態】
【００２８】
（実施形態１）  
図１はデジタルカメラ１の外観図であり、図１（ａ）は正面図、図１（ｂ）は背面図、図１（ｃ）は底面側斜視図である。これらの図において、デジタルカメラ１は、箱形の本体２の前面に沈胴式のレンズ鏡筒３、ストロボ発光窓４、ファインダ前面窓５及び収音穴６などを配置すると共に、本体２の上面に電源スイッチ７及びシャッターボタン８などを配置し、さらに、本体２の背面にファインダ後面窓９、撮影モード／再生モード切換ボタン１０、ズームキー１１、ＭＥＮＵボタン１２、カーソルキー（上下左右方向移動ボタン）１３、ＳＥＴキー１４、ＤＩＳＰボタン１５、拡声穴１６及び液晶モニタ１７などを配置し、加えて、本体２の底面に蓋１８を設け、この蓋１８を開くことによって本体２の内部に実装されたバッテリ１９や大容量の記憶媒体２０（たとえば、カード型フラッシュメモリ（ＣＦ）(Compact Flash)やカード型ハードディスク（ＨＤＤ）(Hard Disk Drive)など）を着脱できるようになっている。
【００２９】
撮影モード／再生モード切換ボタン１０は、撮影ボタン及び再生ボタンからなり、撮影ボタンを押すと撮影モード（初期設定は静止画撮影）に移行し、再生ボタン（初期設定は静止画再生）を押すと再生モードに移行する。
【００３０】
液晶モニタ１７は、例えばアスペクト比１６：９のワイドアスペクト比のモニタ画面（ワイドＬＣＤ画面）を有している。後述する撮像素子はアスペクト比４：３（１２：９）の画像を作成するので、通常の画像表示時には余りの領域ができる。そこで、通常の画像表示時に画像を引き伸ばして全面表示してもよいし、余りの領域に日付や画素数などの情報表示を行ってもよいが、本発明では動画から切り取った静止画を表示する。
【００３１】
図１（ｂ）において、ＭＥＮＵボタン１２は各種メニューを表示させるためのもので、撮影モード時に操作すると、撮影画素数の設定、撮影画質（圧縮率の低い（画質の高い）方からファイン、ノーマル、エコノミー）の設定、静止画／動画／音声録音の切換、セルフタイマー、ストロボ、ホワイトバランスなどの各種撮影条件の設定を行うことができる。また再生モード時に操作すると、画面の自動送り（スライドショー）、プロテクトの設定、印刷枚数の設定（ＤＰＯＦ）(Digital Print Order Format)、画像の回転、トリミング、リサイズなどの設定を行うことができる。また、再生モード時にＭＥＮＵボタン１２を操作すると静止画再生モード、動画再生モードの設定を行なうことができる（実施例では初期設定は静止画再生モードとしているがこれに限定されない）。動画再生モードに設定されると、更に、ＭＥＮＵボタン１２の操作により、動画および切り取った静止画の表示領域設定処理（図１３のステップＳ０参照）に移行することができる。
【００３２】
また、同図においてＤＩＳＰボタン１５は、液晶モニタ画面上に各種情報を表示するためのもので、画素数、画質、静止画／動画／音声の区別、日付、時間、電池残量、メモリ残量などを表示する。もう一度ＤＩＳＰボタン１５を押すと情報表示は消えて画像表示だけとなる。また、動画再生時にＤＩＳＰボタン１５を操作すると操作時点で動画表示されていた画像を切り取りって静止画表示を行なう静止画切り取り処理への切り取り指示ボタンとして機能する。なお、ＤＩＳＰボタン１５に切り取り指示ボタンとしての機能を兼用させず、切り取り指示専用のキーを設けるようにしてもよい。
【００３３】
カーソルキー１３は、モード設定やメニュー選択等に際して液晶モニタ画面４に表示されるメニューやアイコン等をカーソルでポイント（指定）する際に操作するキーであり、カーソルキー１３の操作によりカーソルを上下又は左右に移動させることができる。また、設定された表示領域に表示されている静止画（動画から切り取った静止画）をカーソルキー１３の操作により前後にスクロール表示することができる。
【００３４】
また、ＳＥＴキー１４はカーソルが表示されている項目を選択設定若しくは確認する際に押すキーであり、また、設定された表示領域に表示されている静止画にカーソルが位置づけられているときにＳＥＴキー１３を押すと、表示されている静止画（またはコマ数等の静止画記憶位置情報）が記憶媒体２０（図２）に記録される。
【００３５】
図２は、デジタルカメラ１の内部ブロック図である。この図において、デジタルカメラ１は、機能別に、音声入力系２１、撮像系２２、制御系２３、音声出力系２４、画像ファイル記憶系２５、表示系２６及び操作系２７などに分類することができる。
【００３６】
これらの系毎に説明すると、音声入力系２１は、本体前面の収音穴６の近くに配置されたマイク２８と、このマイク２８で拾った音を増幅するアンプ２９と、アンプ２９で増幅されたアナログの音声信号をデジタル信号に変換するＡ／Ｄ変換部３０と、デジタル変換された音声信号を一時的に記憶する音声メモリ３１とを備えている。
【００３７】
撮像系２２は、本体前面のレンズ鏡筒３に収められたズーム機能及びオートフォーカス機能付の撮影レンズ群３２と、この撮影レンズ群３２を通過した被写体像を二次元の画像信号に変換するＣＣＤ（Charge Coupled Devices）やＣＭＯＳ（Complementary Metal Oxide Semiconductor）などからなる電子撮像部３３と、この電子撮像部３３からの画像信号に対して所要の画像処理を施す映像処理部３４と、画像処理後の画像信号を一時的に記臆する画像メモリ３５とを備えるとともに、レンズ鏡筒３の不図示のフォーカス機構を駆動するフォーカス駆動部３６と、同ズーム機構を駆動するズーム駆動部３７と、本体前面のストロボ発光窓４に設けられたストロボ発光部３８と、このストロボ発光部３８を駆動するストロボ駆動部３９と、これらの各部（電子撮像部３３、映像処理部３４、フォーカス駆動部３６、ズーム駆動部３７、ストロボ駆動部３９）を制御するための撮影制御部４０とを備えている。
【００３８】
制御系２３は、上記の各系を制御してデジタルカメラ１の動作を集中的にコントロールする制御回路（ＣＰＵ若しくはＭＰＵ（以下、ＣＰＵ）４１と、このＣＰＵ４１の動作に必要な各種プログラムやデータを不揮発的に記憶するプログラムメモリ４２と、画像データ記憶用の内蔵フラッシュメモリ（データメモリ）４３とを備えている。
【００３９】
音声出力系２４は、ＣＰＵ４１から適宜に出力される音声データをアナログの音声信号に変換するＤ／Ａ変換部４４と、この音声信号を増幅するアンプ４５と、増幅された音声信号を拡声するために本体背面の拡声穴１６の近くに設けられたスピーカ４６とを備えている。
【００４０】
画像ファイル記憶系２５は、インターフェース部４７と、このインターフェース部４７に着脱可能に接続される記憶媒体２０とを備えている。
【００４１】
表示系２６は、ＣＰＵ４１から適宜に出力される表示データを一時的に保持するビデオメモリ（ＶＲＡＭ）４８を含む表示制御部４９と、表示制御部４９の出力信号を表示する液晶モニタ１７とを備えている。
【００４２】
操作系２７は、本体２の各部に設けられた様々な操作ボタン類、すなわち、前述した、シャッターボタン８、撮影モード／再生モード切換ボタン１０、ズームキー１１、ＭＥＮＵボタン１２、カーソルキー（上下左右方向移動ボタン）１３、ＳＥＴキー１４、ＤＩＳＰボタン１５を含む操作入力部５０と、この操作入力部５０からの操作信号をＣＰＵ４１に入力するための入力回路５１とを備えている。
【００４３】
図３は撮像素子から表示モニタ画面までのデータの流れを示す図である。電子撮像部３３のＣＣＤ、ＣＭＯＳなどの撮像素子は多数のフォトダイオードの前面にフィルターを備えることで色を得ている。このフィルターには「原色フィルター」と「補色フィルター」の2種類があり、原色フィルターはR（Red）、G（Green）、B（Blue）、補色フィルターはC（Cyan）、M（Magenta）、Y（Yellow）からなる。一般に３００万画素、５００万画素、・・・と呼ばれる画素数は、フォトダイオードの数である。
【００４４】
フォトダイオードがチャージした電荷は映像信号処理部３４でＡ／Ｄ変換され、撮像素子の画素に対応したベイヤーデータの形でいったん保持し、信号処理により輝度、色差マルチプレクス信号（Ｙ，Ｃｂ，Ｃｒデータ、Ｙ，Ｕ，Ｖともいう）を得る。そのＹ，Ｕ，Ｖデータ（以下、画像データ）が画像メモリ３５に記憶される。
【００４５】
画像の画素数構成としては、一般的に２５６０×１９２０、２０４８×１５３６、１６００×１２００、１０２４×７８６、８００×６００、６４０×４８０などが知られている。本実施の形態では、画像メモリ３５に記憶される画像データは、例えば、静止画データでは、輝度（Ｙ）データが１６００×１２００画素で構成され、色差（Ｕ，Ｖ）データがそれぞれ８００×６００画素で構成される。これは輝度信号のほうが人間の目に捉えられやすいため色差信号の情報量を減らしているためであるが、もちろん同数でもよい。このように構成された画像データを液晶モニタ１７に表示するために、演算により液晶モニタ１７の表示画素数に合わせたＲＧＢデータを作成しＶＲＡＭ４８に書き込む。従って撮像素子の画素数と液晶モニタ画面の表示画素数は直接の対応関係はない。
【００４６】
また、動画データは、通常は、静止画データより低画質（画素密度の低い）、６４０×４９０画素で構成されるなお、画像メモリ３５のメモリ容量が十分あれば、静止画とほぼ同等の高画質の動画データでもよい。
【００４７】
液晶モニタ１７は各表示画素にＲＧＢのカラーフィルターを有しており、図４（ａ）に示すようなデルタ配列や図４（ｂ）のストライプ配列が一般的である。
【００４８】
液晶モニタ１７は１６：９のワイドアスペクト比のモニタ画面で構成されており、画素数が６４０×３６０画素とすると、ストライプ配列の場合は横方向に６４０×３（Ｒ、Ｇ、Ｂ）画素が配列され、縦方向に３６０画素が配列されている。また、デルタ配列の場合は横方向に６４０画素、縦方向に３６０画素配列されている。デルタ配列は表示画素数が１／３となるが、色再現性は高い。
【００４９】
液晶モニタ１７は１６：９のワイドアスペクト比のモニタ画面であるが、撮影されて作成される画像データは１６００×１２００画素の４：３のアスペクト比なので、画像メモリ３５は４：３の画像を記憶するよう構成されている。  
前記図３の画像メモリ３５のメモリ構成はデルタ配列の場合であるが、ストライプ配列の場合は図５（ａ）に示すようにＲ、Ｇ、Ｂそれぞれ１００×１２００画素の画像メモリを有する。液晶モニタ画面が１６００×３×１２００画素あれば、それをそのまま供給すればよく、本実施の態様のように液晶モニタ１７が６４０×３６０画素であれば図５（ｂ）に示すように適宜間引いて供給する。デルタ配列の場合は画像データをＹ，Ｕ，Ｖデータの形で保存し、表示時に演算によりＲＧＢデータを作成して直接表示制御部４９に送出する。
【００５０】
表示制御部３４内には６４０×３６０画素のＶＲＡＭ（表示バッファ）４８が備えられており、表示データはこのＶＲＡＭ４８に作成される。つまり液晶モニタ１７はこのＶＲＡＭ４８のデータをそのまま表示している。従って画像データが４：３の分しかなくても、ＶＲＡＭ４８は液晶モニタ１７に対応する画素数を有し、表示しない領域は例えば黒が書き込まれる。
【００５１】
ＪＰＥＧ(Joint Photographic Coding Experts Group)圧縮はＣＰＵ４１で行う。画像メモリ３５の画像データＹ，Ｕ，ＶそれぞれについてＪＰＥＧ圧縮を行い圧縮されたJPEG-Y,JPEG-U,JPEG-Vを一旦データメモリ４３に記憶した後、ＣＦ若しくはＨＤＤ２０に転送し保存記録する。
【００５２】
また、４８０×３６０画素の縮小画像も、１６０画素×１２０画素のサムネイルもそれぞれＪＰＥＧ圧縮されて一旦データメモリ４３に記憶した後、記憶媒体（ＣＦ若しくはＨＤＤ）２０に転送記憶し、前記本画像と関連付けて保存される。
【００５３】
ＣＰＵ４１は、静止画の保存記録の際には画像メモリ３５に記憶されている画像データを読み出して、静止画圧縮処理を施して記憶媒体２０に保存記録し、再生時には記憶媒体２０に保存記録されていた圧縮画像データに伸張処理を施して画像データを再生する。また、動画の保存記録の際には画像メモリ３５に記録されている連続画像（複数の静止画像）に圧縮処理を施して記録媒体２０に保存記録し、再生時には記録媒体２０に保存記録されていた圧縮画像データに伸張処理を施して動画データを再生し、画像メモリ３５に保存記録する。
【００５４】
また、上記圧縮伸張部は複数の圧縮率に対応しており、圧縮率に対応させて記憶するモードは圧縮率の低い高解像度に対応するモードと圧縮率の高い低解像度に対応するモードがある。
【００５５】
図６は記憶媒体（ＣＦ若しくはＨＤＤ）２０の記録領域のレイアウト例を示す図であり、記憶媒体の記録領域上には、各領域に記録されるファイルやデータの情報が所定の規定フォーマットにより登録（記録）される管理領域２０−１、図７に示すような静止画フォルダを記録する静止画ファイル記録領域２０−２、図８に示すような、動画ファイルを記録する動画ファイル記録領域２０−３、動画と対応付けられて記録された音声データからなる音声データファイルを記録する音声ファイル記録領域２０−４、及び動画から切り取った静止画データ（若しくは切り取られた静止画のコマ数等の記憶位置情報）を記録する切り取り画像記録領域２０−５及び図示しない作業領域や予備領域（プログラムを記録媒体２０に記録するように構成した場合には更にプログラム記録領域）が設けられている。
【００５６】
図７は記憶媒体（ＣＦ若しくはＨＤＤ）２０に記録される静止画像データの状態を示す図である。符号１００はＪＰＥＧ圧縮された画像のフォルダを示し、本画像１０１と、それを縮小した縮小画像１０２及びサムネイル１０３を有する（図７（ａ））。サムネイル１０３は他のデジタルカメラと互換性を保つために共通の規格で定められた縮小画像であり、縮小画像１０２は任意の縮小率で本画像を縮小した画像であって、一般的にサムネイルよりは大きく、例えばモニタ画面のモニタ画面のサイズとほぼ一致する。また、サムネイルは画面を分割して複数画像をマルチ画面表示するときのサイズとほぼ一致することが多い。なお、ヘッダ１０４には、ファイル名、画素数、撮影日時、撮影条件等の情報が記憶される。
【００５７】
静止画を表示する際は、液晶モニタ１７には通常は縮小画像１０２を表示している。縮小画像１０２は本画像１０１を縮小したものであるから、基本的に補間処理を行っていないので画質の劣化は無い。ただし縮小するために間引き等を行って情報量が減っているので本画像の画質を表現できてはいない。  
再生時に拡大指示があると、縮小画像１０２を拡大して表示する場合と本画像１０１を縮小して表示する場合があるが、ここでは本画像１０１を縮小する場合を例にとって説明する。  
【００５８】
例えば、図７（ｂ）に示すように、本画像１０１が１６００×１２００画素とし、液晶モニタ１７の表示サイズが４８０×３６０画素、縮小画像１０２のサイズが４８０×３６０画素であるとし更にサムネイルのサイズが１６０×１２０画素であるとする。液晶モニタ１７に表示するには縮小画像１０２をそのまま表示すればよく、３×３個の９分割されたマルチ画面表示を行うにはサムネイルをそのまま表示すればよい。なお、液晶モニタ１７の構成上、例えば３３０×２２０画素のように記憶されている画像の画素数と合わない場合があるが、そういう場合は適宜補間等の処理を行って画素数を合わせる。また、拡大指示は、再生モード時にズームキー１１が操作されると再生表示している画像を拡大／縮小する。
【００５９】
図８は記憶媒体（ＣＦ若しくはＨＤＤ）２０に記録される動画ファイルの状態を示す図であり、動画ファイル２００はＪＰＥＧ圧縮された動画データ２０１とヘッダ２０４等からなり、動画データ２０１は各コマを構成する静止画像（図示の例で静止画１−１〜１−ｎ、静止画２−１〜２−ｍ等からなる。また、ヘッダ２０４は、ファイル名、画素数、撮影日時、撮影条件等のほか、撮影したコマ数や画質、コマの時間間隔（または、撮影速度）や対応する音声データや音声ファイルの等の動画撮影情報を記録してなる。
【００６０】
動画を表示する際は、液晶モニタ１７には通常は圧縮された動画データ２０１を構成する各静止画を伸張して画像メモリ３５に記憶し、再生された各静止画１−１〜１−ｎを順次画像メモリ３５から取り出して連続表示している。動画データを構成する各静止画は静止画モードで撮影される静止画より通常は低画質であるが、撮影時のモード選択により高画質の場合もある。再生時に縮小指示があると、動画データ２０１を構成する静止画は縮小されて表示される。
【００６１】
図９はワイドＬＣＤを備えたデジタルカメラ１の液晶モニタ１７上に設定した表示領域の実施例のいくつかを示す図である。図９（ａ）はアスペクト比１２：９の表示領域Ｒ１を１６：９のアスペクト比のワイドＬＣＤ画面の（向かって）左側に設定し、その右側にＲ１より小さい所定のアスペクト比の表示領域Ｒ２、Ｒ３を設定した例であり、図９（ｂ）はアスペクト比１２：９の表示領域Ｒ１の右側にＲ１より小さい所定のアスペクト比の表示領域Ｒ２、Ｒ３、Ｒ４を設けるようにした例であり、図９（ｃ）はアスペクト比１２：９の本画像表示領域Ｒ１を画面の中央に設定し、その両側にＲ１より小さい所定のアスペクト比の表示領域Ｒ２、Ｒ３を設定した例である。なお、ＶＲＡＭ４８の記憶領域にも液晶モニタ１７に設定される表示領域に対応する領域がそれぞれ設定される。また、静止画表示領域の数は上述した２（Ｒ２、Ｒ３）〜３（Ｒ１、Ｒ２、Ｒ３）の領域に限定されない。また、表示する静止画は表示領域のサイズに合わせて縮小若しくは拡大して全体を表示してもよいが、表示領域のサイズが全体画像より小さい場合に縮小せずに部分表示するようにしてもよい。
【００６２】
図１０は、従来の動画表示及び動画から切り取った静止画の表示例を示す図であり、図１１は、本発明の動画編集方法によるワイドＬＣＤ画面での動画及び切り取った静止画の表示例を示す図である。  
図１０で、（ａ）は液晶モニタ画面に表示された動画の表示例、（ｂ）は（ａ）に表示されている動画を任意のタイミングで切り取って同一画面に静止画表示した例であり、動画１０−１が静止画１―２によって覆われてしまい、動画が見えなくなっている。なお、切り出した動画を画面上の一部に表示するようにしても動画の一部が静止画で覆われて見えなくなるので、従来方法によれば動画の全部一部分が切り取った静止画で覆われてしまい見えなくなることになる。
【００６３】
図１１は、アスペクト比１６：９のワイドＬＣＤ画面１７の全表示領域のうち、アスペクト比１２：９の表示領域Ｒ１に再生した動画１１−１を表示し、切り出した静止画像を右側（表示領域Ｒ２、Ｒ３）に縮小表示した例であり、動画１１Ｍが再生表示されているとき、ユーザが任意のタイミングでＤＩＳＰボタン１５を押すと、ボタン１５を押した時点で表示領域Ｒ１に表示されていた画像１１−（ｊ）が切り取られて表示領域Ｒ２に縮小されて静止画表示される。図示の例は次に述べるように、前スクロールボタン１１Ｆが１回クリックされた結果、切り取った静止画像１１−（ｊ）の１コマ前の画像１１−（ｊ−１）が縮小されて表示領域Ｒ２に静止画表示され、表示領域Ｒ２に表示されていた静止画１１−（ｊ）がシフトされて表示領域Ｒ３に表示された例である。なお、Ｒ１、Ｒ２、Ｒ３は予め設定された表示領域であり、本実施例の標準設定ではＲ１＞Ｒ２＝Ｒ３であるが、これに限定されないし、後述するようにユーザが任意のサイズで設定することもできる。
【００６４】
図１１で、符号１１Ｆは前スクロールボタンを示し、スクロール操作により表示されている静止画より前に撮影されたコマの画像に遡って動画中の画像を切り取って静止画表示することができる。前スクロールボタン１１Ｆがｍ回クリックされると、切り取った静止画像１１−（ｊ）のｍコマ前の画像１１−（ｊ−ｍ）が縮小されて表示領域Ｒ２に静止画表示され、表示領域Ｒ２に表示されていた静止画１１−（ｊ−（ｍ−１））はシフトされて表示領域Ｒ３に表示される。なお、表示領域Ｒ４、Ｒ５、・・・が設定されている場合は静止画１１−（ｊ−（ｍ−２））、静止画１１−（ｊ−（ｍ−３））、・・が順次シフトされて表示領域Ｒ４、Ｒ５、・・・に表示される。前スクロール操作はユーザがカーソルキー１３を操作してカーソルを前スクロールボタン１１Ｆに位置づけてからＳＥＴキー１４を押して行なうことができ、ｍ回クリックするにはＳＥＴキー１４をｍ回押せばよいこととなる。
【００６５】
動画表示中にＤＩＳＰボタン１５を操作して切り取り指示を出す際、ユーザが切り出そうとしてからＤＩＳＰボタン１５を押すまでには少し時間がかかるので指示が遅れ、所望の静止画像と切り出した画像が異なることが生じる可能性があるが、上記前スクロール操作により、１コマずつ前の画像に遡って動画から静止画像を切り出して表示できるので、この前スクロール操作を繰り返すことにより所望の静止画像を切り出すことができる。
【００６６】
また、符号１１Ｂは後スクロールボタンを示し、スクロール操作により表示されている静止画より後に撮影されているコマの画像を切り取って静止画表示することができる。後スクロールボタン１１Ｆがｎ回クリックされると、切り取った静止画像１１−（ｊ）のｎコマ後の画像１１−（ｊ＋ｎ）が縮小されて表示領域Ｒ３に静止画表示され、表示領域Ｒ２には静止画１１−（ｊ−（ｎ−１））が表示される。なお、表示領域Ｒ４、Ｒ５、・・・が設定されている場合は静止画１１−（ｊ−（ｎ＋１））、静止画１１−（ｊ−（ｎ＋２）、・・・が順次シフトされて表示領域Ｒ４、Ｒ５、・・・に表示される。後スクロール操作はユーザがカーソルキー１３を操作してカーソルを後スクロールボタン１１Ｂに位置づけてからＳＥＴキー１４を押して行なうことができｎ回クリックするにはＳＥＴキー１４をｎ回押せばよいこととなる。
【００６７】
動画表示中にＤＩＳＰボタン１５を操作して切り取り指示を出して切り取った画像より少し後に撮影された画像（例えば、ゴルフでインパクトした瞬間とその後のフォーム）を見たい場合がある。このような場合には動画を戻して切り取り指示を行なってもよいが、所望の静止画を１回で切り取ることができるとは限らない。しかしながら、上記後スクロール操作により、１コマずつ後の静止画像を切り出して表示できるので、この後スクロール操作を繰り返すことにより確実に所望の静止画像を切り出すことができる。
【００６８】
なお、図１１の説明では、スクロール操作は前スクロールボタン１１Ｆまたは後スクロールボタン１１Ｂをカーソルキー１３で指定し、ＳＥＴキー１４を押すことにより前方または後方にスクロールする例を示したが、カーソルキー１３を上方操作または下方操作すると前方または後方にスクロールするように構成してもよい。
【００６９】
また、符号１１Ｃは入れ替えボタンを示し、表示領域Ｒ１の動画をＲ１、Ｒ２、Ｒ３、・・のうちの指定された表示領域に表示するようにし、指定された表示領域に表示されている静止画を（図示の例では拡大して）表示領域Ｒ１に表示することができる。具体的には、ユーザがカーソルキー１３を操作してカーソルを入れ替えボタン１Ｃに位置づけてからＳＥＴキー１４を押すことにより動画と静止画の表示領域を入れ替えることができる。
【００７０】
図１１の例では、表示領域Ｒ２、Ｒ３、・・に表示される静止画像は縮小画像のため細部が見にくいので拡大して見たい場合がある。しかし、表示領域Ｒ２、Ｒ３、・・・上で拡大しても部分しかみることができないので、アスペクト比１２：９の表示領域Ｒ１にその静止画を表示する。表示される静止画は拡大表示してもよいが、縮小画像を拡大することとなるので画質が劣化する。そこで、表示時に保持される静止画像が動画データ中のどこにあったかという位置情報（あるいは、先頭からのコマ数）を元に動画データから同じ静止画をもう一度切り出してそのまま表示領域Ｒ１に表示するようにする。このようにすれば表示される静止画は動画と同じサイズで表示され、しかも、画質は劣化しない。なお、表示領域Ｒ１に表示されていた動画は表示領域Ｒ１に表示された静止画が表示されていた表示領域に表示されるので、切り取り指示操作により動画から他の静止画を切り出すこともできる。
【００７１】
更に、表示領域Ｒ２、Ｒ３、・・、（または入れ替えにより表示領域Ｒ１）に表示されている静止画上にカーソルを移動させ、ＳＥＴキー１４を押すとその静止画に対応する静止画データ（動画データ中の静止画）が記憶媒体２０に記録される。
【００７２】
図１２は本実施形態におけるワイドＬＣＤ画面での動画及び静止画表示のタイミングチャートであり、動画開始タイミング、静止画Ａの切り出し指示（ＤＩＳＰボタン１５の押し下げ）タイミング、静止画Ｂの切り出し指示タイミング、静止画Ｃの切り出しタイミングを時系列に記し、横軸に、それぞれ、表示領域Ｒ１における動画表示期間（黒塗りの帯部分）、動画像（動画データを構成する静止画）、表示領域Ｒ２における切り出された静止画Ａ、Ｂ、Ｃの表示期間、表示領域Ｒ２に表示される静止画（Ａ、Ｂ、Ｃ）の変遷、表示領域Ｒ３における切り出された静止画Ａ、Ｂ、・・の表示期間、表示領域Ｒ３に表示される静止画（Ａ、Ｂ、・・）の変遷が示されている。  
【００７３】
本実施例では、図１２に示すように表示領域Ｒ１には再生された動画が再生が終わるか再生終了指示が出されるまで連続的に表示され、ＤＩＳＰボタン１５が押されると静止画Ａが切り出され、表示領域Ｒ２に表示される。次に、ＤＩＳＰボタン１５が押されると静止画Ｂが切り出され、表示領域Ｒ２に表示されると共に静止画Ａが表示領域Ｒ３に表示される。そして、更に、ＤＩＳＰボタン１５が押されると静止画Ｃが切り出され、表示領域Ｒ２に表示されると共に静止画Ｂが表示領域Ｒ３に表示される。静止画Ａ、Ｂ、Ｃはそれぞれ次にＤＩＳＰボタン１５が押されるまで表示領域Ｒ２に表示され、ＤＩＳＰボタン１５が押されると表示領域Ｒ３に順次表示される。
【００７４】
上記図１２のタイミングチャートに示したように、本実施形態では動画は再生が終わるか再生終了指示が出されるまで連続的に表示されるので、ユーザは表示領域Ｒ１に連続的に表示される動画を見ながら所望のタイミングでＤＩＳＰボタン１５を押して静止画像をいくつか切り出し、表示領域Ｒ２、Ｒ３、・・に表示して所望の静止画像を取得することができる。また、動画表示が静止画切り出しにより途切れないので見やすく、短時間に静止画の編集を行なうことができる。
【００７５】
図１３は本実施形態におけるワイドＬＣＤ画面での動画及び静止画の画面表示動作を説明するためのフローチャートである。このフローチャートはデジタルカメラ１に本願発明のワイドＬＣＤの液晶モニタ画面における再生画像の表示／編集制御を実現させるためのプログラムを説明するためのものである。
【００７６】
以下に示す処理は基本的にＣＰＵ４１が予めプログラムメモリ４２に記憶されたプログラムに従って実行する例で説明するが、全ての機能をプログラムメモリ４２に格納する必要はなく、必要に応じて、その一部若しくは全部をネットワークを介して受信して実現するようにしてもよい。以下、図１〜図１３に基いて説明する。
【００７７】
なお、説明上、記憶媒体２０には動画撮影により記録された動画データ及び／または外部画像処理装置から受け取った動画データが図８に示したような形式で記録されているものとし、アスペクト比１６：９のワイド液晶モニタ画面１７の表示領域は、標準設定で図９（ｂ）に示したような表示領域Ｒ１、Ｒ２、Ｒ３、Ｒ４が設定され、表示領域Ｒ１のアスペクト比は１２：９、表示領域Ｒ２、Ｒ３、Ｒ４のアスペクト比をそれぞれ４：３であるものとする。
【００７８】
動画再生モードで、まず、ＣＰＵ４１は図１５に示すような表示領域設定処理を実行し（ステップＳ０）、次に、記憶媒体２０に記録されている動画を選択可能に再生表示してユーザに再生する動画の選択を促し、ユーザが画像を選択するとステップＳ２に進む。ここで、選択可能に画像を表示する方法は公知の方法でよく、例えば、記憶媒体２０に記録されている各動画ファイルから代表画像データ（例えば、先頭の静止画データ）を取り出して縮小し、液晶モニタ１７に２次元配列表示してカーソル操作により所望の動画ファイルを選択させるようにしてもよいし、グループ化された動画またはその縮小画像を液晶モニタ１７に２次元配列表示してカーソル操作により所望の画像を選択させるようにしてもよい（ステップＳ１）。
【００７９】
再生する動画が選択されると、ＣＰＵ４１は選択された動画ファイル２００の動画データ２０１を記憶媒体２０から読み出して動画データを構成する各静止画に伸張処理を施して再生し、画像メモリ３５に記憶し（ステップＳ２）、画像メモリ３５から再生された静止画像を順次１コマずつ読み出して液晶モニタ１７の表示領域Ｒ１（図９（ｂ））に連続的に表示することにより動画表示する。また、この際、コマ数カウンタ（初期値＝０）に１を加えて表示されている画像がはじめから何番目の静止画かをカウントするものとする（ステップＳ３）。
【００８０】
動画が表示されている際、切り取りたい画像があるとユーザは静止画切り取り指示操作（実施例ではＤＩＳＰボタン１５の押し下げ）を行なうので、ＣＰＵ４１は入力回路５１からの信号を基に操作入力部５０で静止画切り取り指示操作が行なわれたか否かを調べ、切り取り指示操作が行なわれた場合はステップＳ５に進み、そうでない場合はステップＳ９に進む（ステップＳ４）。
【００８１】
上記ステップＳ４で切り取り指示操作が行なわれた場合は図１６に示すような静止画表示処理を実行する（ステップＳ５）。
【００８２】
静止画が表示領域に表示されると、ユーザはスクロール操作若しくは入れ替え操作（実施例では、カーソルキー１３及びＳＥＴキー１４による前スクロール操作または後スクロール操作若しくは入れ替え操作）を行なうことができるので、ＣＰＵ４１は入力回路５１からの信号を基に操作入力部５０でスクロール操作若しくは入れ替え操作が行なわれたか否かを調べ、スクロール操作若しくは入れ替え操作が行なわれなかった場合はステップＳ７に進み、操作が行なわれた場合は図１７に示すようなスクロール処理／入れ替え処理に移行する。なお、本実施形態ではスクロール処理／入れ替え処理は動画表示と並行的に行なわれる（つまり、スクロール操作や入れ替え操作中でも動画表示は中断せず、連続して表示される）ものとし、スクロール処理／入れ替え処理画が終わると直ちにステップＳ７に進むものとする（ステップＳ６）。
【００８３】
ユーザは表示領域に表示されている静止画像を保存記録したいときはその静止画像をカーソル操作により指定して記憶媒体２０に保存記録させることができるので、ＣＰＵ４１は入力回路５１からの信号を基に操作入力部５０で切り取った静止画の指定操作が行なわれたか否かを調べ、指定操作が行なわれた場合はステップＳ８に進み、そうでない場合はステップＳ９に進む（ステップＳ７）。
【００８４】
上記ステップＳ７で静止画の指定操作が行なわれた場合は、ＣＰＵ４１はデータメモリ４３に保持しているコマ数（＝図１６の静止画表示処理で保持したコマ数）を基に画像メモリ３５から該当する静止画データを取り出して圧縮処理を施し、記憶媒体２０の切り取り画像記録領域２０−５（図６）に保存記憶する。なお、切り取り画像記録領域２０−５に切り取られた静止画のコマ数等の記憶位置情報を記憶するようにしてもよい（ステップＳ８）。
【００８５】
ＣＰＵ４１は再生する動画データが終わったか、操作入力部５０で動画の再生終了操作が行なわれたかを画像入力回路５１からの信号を基に調べ、動画データが終わったか操作入力部５０で動画の再生終了操作が行なわれた場合は表示処理を終了し、そうでない場合はステップＳ２に戻る（ステップＳ９）。
【００８６】
上記図１３のフローチャートに示した動作により、デジタルカメラ１は記憶媒体２０に動画を表示する領域とその動画から切り取った静止画を表示する領域を設定できるので、ワイドアスペクト比の液晶モニタ１７の表示領域を有効に活用することができる。また、動画表示領域と静止画表示領域が別のため切り取った静止画が動画の上に重なることがないので、動画及び静止画が見やすい。
【００８７】
また、表示されている静止画を前後にスクロールできるので、動画データ中で対応する静止画の前後の画像を順次切り出して表示することができることから、静止画切り取りのタイミングがずれてしまったような場合でも動画から静止画を切り取り直して所望の静止画を取得することができる。また、現在表示されている動画と切り取った静止画の画像が著しく異なっていても、その静止画に対応する前または後の画像を切り取り直して所望の静止画を取得することができる。
【００８８】
また、交換（入れ替え）表示、つまり、動画を切り取られた静止画の表示領域に表示すると共にその動画をその動画の表示領域に表示することができるので、表示されている静止画が見にくい時に静止画を拡大して見ることができる。
【００８９】
図１４は表示領域設定画面の一実施例を示す図であり、符号１４０は表示領域設定画面、符号１４１は標準設定用ウインドウ、符号１４２はユーザ設定用ウインドウ、符号１４３は標準設定選択欄、符号１４４はユーザ設定選択欄、符号１３はカーソルを示す。  
標準設定用ウインドウ１４１には図９（ｂ）に示したアスペクト比１２：９の動画表示領域Ｒ１とアスペクト比４：３の静止画表示領域Ｒ２、Ｒ３、Ｒ４が表示されている。ユーザがカーソルキー１３を操作して標準設定選択欄１４３にカーソル１３を位置づけてＳＥＴキー１４を押すと標準設定が選択される。  
ユーザ設定用ウインドウ１４２には動画表示領域Ｒ１が中央に表示され、左右はユーザによる表示領域が設定される余白部分としてカラー表示されている。ユーザがカーソルキー１３を操作してユーザ設定選択欄１４３にカーソル１３を位置づけてＳＥＴキー１４を押すとユーザ設定が選択される（図１５のステップＳ０−４→Ｓ０−６の経路参照）。
【００９０】
図１５は、図１３のフローチャートの表示領域設定処理動作を説明するための詳細なフローチャートである。  
図１５で、ＣＰＵ４１は液晶モニタ１７に表示領域設定の要否を問うメッセージ（例えば、画面に表示する画像の大きさや位置を設定しますか？（イ）設定する、（ロ）ユーザ設定済み、（ハ）設定しない）を表示してユーザにカーソルキー１３の操作による選択を促し（ステップＳ０−１）、ユーザが「（イ）設定する」を選択すると表示領域設定フラグをオン（値＝「１」）にしてステップＳ０−３に進み、「（ロ）既設定でよい」を選択するとステップＳ１に進み、「（ハ）設定しない」を選択すると表示領域設定フラグをオフ（値＝「０」）にしてステップＳ１に進む（ステップＳ０−２）。
【００９１】
表示領域を設定する場合は、ＣＰＵ４１は図１４に示したような表示領域設定画面１４０を表示し（Ｓ０−３）、標準設定でよいかユーザ設定するかの選択を促し、標準設定が選択された場合はステップＳ０−５に進み、ユーザ設定が選択された場合はステップＳ０−７に進む（ステップＳ０−４）。
【００９２】
標準設定が選択された場合は、ＣＰＵ４１はデータメモリ４３（またはプログラムメモリ４２）に記録されている標準設定値を取り出しＶＲＡＭ４８に標準設定領域Ｒ１、Ｒ２、Ｒ３、Ｒ４を設定し、図１３のステップＳ１に進む（ステップＳ０−５）。
【００９３】
ユーザ設定が選択された場合は、ＣＰＵ４１は液晶モニタ画面１７にカーソル１３を表示し、ユーザによるカーソル操作を可能としてユーザにカーソルキー１３の操作によりカーソル１３１を移動させて表示領域Ｒ１の移動を行なうか、若しくは余白に表示領域を設定させるようにする。例えば、表示領域Ｒ１はユーザ設定用ウインドウ１４２の表示領域Ｒ１の右端または左端にカーソル１３を位置づけてからＳＥＴキー１４を押し、カーソルキー１３を右（→）移動操作または左（←）移動操作することにより左右に移動させることができる。また、表示領域Ｒ１以外の領域（つまり、余白部分）でカーソル１３をＲ１の右端または左端、あるいはウインドウ１７２の上端または下端に位置づけて、ＳＥＴキー１４を２回押してからカーソルキー１３を左右（→）（←）移動操作あるいは上下（↑）（↓）移動操作してカーソル１３１を移動させ、ＳＥＴキー１４を押すことにより、表示領域Ｒ１以外の領域を分割し、例えば、図９（ａ）や図９（ｃ）に示すように表示領域Ｒ２、Ｒ３を設定することができる。
【００９４】
ＣＰＵ４１は操作入力部５０からの信号を調べ、カーソル操作に応じた領域設定値を取得し（ステップＳ０−７）、ＶＲＡＭ４８にユーザ設定領域を設定し、ステップＳ１に進む（ステップＳ０−８）。
【００９５】
図１６は、図１３のフローチャートにおける静止画表示処理動作を説明するための詳細なフローチャートであり、図１３のフローチャートのステップＳ４で表示領域Ｒ１に表示されている動画の静止画切り取り指示操作が行なわれた場合に行なわれる静止画表示処理動作を示す。なお、説明上、表示領域はＲ１〜Ｒ４の４領域が設定されており、Ｒ１を動画表示領域、Ｒ２〜Ｒ３を静止画表示領域として説明する。また、Ｒ２、Ｒ３、Ｒ４の表示フラグの初期値をオフ（＝「０」）とする。なお、設定された表示領域がＲ１〜Ｒ４より少ないか多い場合には、下記ステップＳ５−５〜Ｓ５−７に準じた静止画像表示用の中間ステップを増設または減ずればよい。
【００９６】
図１６で、図１３のフローチャートのステップＳ４において切り取り指示操作が行なわれると、ＣＰＵ４１は、切り取り指示があった時点（実施例ではＤＩＳＰボタン１５が押され、入力回路５１からのＤＩＳＰボタン押し下げ信号をＣＰＵ４１が受け取ったとき）に動画表示領域Ｒ１に表示されている画像のコマ数を取得し（ステップＳ５−１）、取得したコマ数を基に画像メモリ３５から該当する静止画像を取り出して表示領域Ｒ２のサイズに合うように縮小して保持する（ステップＳ５−２）。次に、表示領域Ｒ２の表示フラグを調べ、表示フラグがオンの場合はＲ２に静止画が表示されていると判定してステップＳ５−５に進み、オフの場合はステップＳ５−４に進む（ステップＳ５−３）。
【００９７】
表示領域Ｒ２の表示フラグがオフの場合は、上記ステップＳ５−２で保持した静止画を表示領域Ｒ２に表示して図１３のステップＳ６に進む。また、Ｒ２、Ｒ３、Ｒ４に表示された静止画像が何番目のコマ数かを示す情報が各表示領域に対応付けられて保持されるものとする（ステップＳ５−４）。
【００９８】
表示領域Ｒ２の表示フラグがオンの場合は、ＣＰＵ４１は表示領域Ｒ３の表示フラグを調べて表示フラグがオンの場合はＲ３に静止画が表示されていると判定してステップＳ５−８に進み、オフの場合はステップＳ５−６に進む（ステップＳ５−５）。
【００９９】
表示領域Ｒ３の表示フラグがオフの場合は、ＣＰＵ４１は、表示領域Ｒ２に表示されている静止画を表示領域Ｒ３に表示してから（ステップＳ５−６）、上記ステップＳ５−２で再生した静止画を表示領域Ｒ２に上書き表示して図１３のステップＳ６に進む。また、Ｒ２、Ｒ３、Ｒ４に表示された静止画像が何番目のコマ数かを示す情報が各表示領域に対応付けられて保持されるものとする（ステップＳ５−７）。
【０１００】
表示領域Ｒ３の表示フラグがオンの場合は、ＣＰＵ４１は、表示領域Ｒ３に表示されている静止画を表示領域Ｒ４に上書き表示し（ステップＳ５−８）、表示領域Ｒ２に表示されている静止画を表示領域Ｒ３に上書き表示してから、ステップＳ５−７に進む。また、Ｒ２、Ｒ３、Ｒ４に表示された静止画像が何番目のコマ数かを示す情報が各表示領域に対応付けられて保持されるものとする（ステップＳ５−９）。
【０１０１】
図１７は、図１３のフローチャートにおける静止画のスクロール処理／入れ替え処理動作を説明するための詳細なフローチャートであり、図１３のフローチャートのステップＳ６で操作が行なわれた場合に行なわれる処理動作を示す。なお、説明上、表示領域はＲ１〜Ｒ４の４領域が設定されており、Ｒ１を動画表示領域、Ｒ２〜Ｒ３を静止画表示領域として説明する。
【０１０２】
図１７で、ＣＰＵ４１は図１３のフローチャートのステップＳ２でカウントした動画の切り換え指示時のコマ数（図１３のフローチャートのステップＳ２でのカウンタの値）をスクロールカウンタに代入し（ステップＴ１）、図１３のフローチャートのステップＳ６の操作が前スクロール操作か後スクロール操作か、入れ替え操作かを調べ、前スクロール操作の場合はステップＴ３に進み、後スクロール操作の場合はステップＴ８に進み、入れ替え操作の場合はステップＴ１３に進む（ステップＴ２）。
【０１０３】
前スクロール操作の場合は、ＣＰＵ４１は、表示領域Ｒ３に表示されている静止画を表示領域Ｒ４に上書き表示し（ステップＴ３）、表示領域Ｒ３に表示されている静止画を表示領域Ｒ４に上書き表示してから（ステップＴ４）、スクロールカウンタの値から１を差し引き（ステップＴ５）、スクロールカウンタの値が示すコマ数のコマの静止画像データを画像メモリ３５から取り出して表示領域Ｒ２のサイズに合うように縮小し（ステップＴ６）、表示領域Ｒ２に上書き表示してステップＴ２０に進む。また、表示領域Ｒ２、Ｒ３、Ｒ４に表示された静止画像が何番目のコマ数かを示す情報が各表示領域に対応付けられて保持されるものとする（ステップＴ７）。
【０１０４】
後スクロール操作の場合は、ＣＰＵ４１は、表示領域Ｒ３に表示されている静止画を表示領域Ｒ２に上書き表示し（ステップＴ８）、表示領域Ｒ４に表示されている静止画を表示領域Ｒ３に上書き表示してから（ステップＴ９）、ＣＰＵ４１はスクロールカウンタの値に１を加え（ステップＴ１０）、スクロールカウンタの値が示すコマ数のコマの静止画像データを画像メモリ３５から取り出して表示領域Ｒ４のサイズに合うように縮小し（ステップＴ１１）、表示領域Ｒ４に上書き表示してステップＴ２０に進む。また、表示領域Ｒ２、Ｒ３、Ｒ４に表示された静止画像が何番目のコマ数かを示す情報が各表示領域に対応付けられて保持されるものとする（ステップＴ１２）。
【０１０５】
入れ替え操作の場合は、カーソルキーで指定されている静止画像が表示領域Ｒ２、Ｒ３、Ｒ４のいずれかに表示されている静止画像か、表示領域Ｒ１に表示されている静止画像かを調べ、表示領域Ｒ２、Ｒ３、Ｒ４のいずれかに表示されている静止画の場合はステップＴ１４に進み、表示領域Ｒ１に表示されている静止画の場合はステップＴ１７に進む（ステップＴ１３）。
【０１０６】
指定された画像が表示領域Ｒ２、Ｒ３、Ｒ４のいずれかに表示されている静止画の場合は指定された表示領域に表示されている静止画が何番目のコマの静止画かを示すコマ数を取得し（ステップＴ１４）、そのコマ数のコマの静止画像データを画像メモリ３５から取り出して表示領域Ｒ１に表示すると共に（ステップＳ１５）、画像メモリ３５に記憶されている動画データから切換時のコマ数の静止画像データを取り出して指定された表示領域のサイズに合うように縮小してその表示領域に１コマずつ連続表示（動画表示）するようにして、ステップＴ２０に進む。また、表示領域Ｒ１に表示された静止画像が何番目のコマ数かを示す情報が表示領域Ｒ１に対応付けられて保持されるものとする（ステップＴ１６）。
【０１０７】
指定された画像が表示領域Ｒ１に表示されている静止画の場合は、その静止画のコマ数を取得し（ステップＴ１７）、そのコマ数のコマの静止画像データを画像メモリ３５から取り出して動画が表示されている表示領域のサイズに合うように縮小してその表示領域に上書き表示すると共に（ステップＴ１８）、その表示領域に表示されていた動画の続きの画像を画像メモリ３５から取り出して表示領域Ｒ１に表示する（ステップＴ１９）。
【０１０８】
ＣＰＵ４１は入力回路５１からの信号を基に操作入力部５０でスクロール操作若しくは入れ替え操作が行なわれたか否かを調べ、スクロール操作若しくは入れ替え操作が行なわれた場合はステップＴ２に戻り、所定時間経過してもスクロール操作若しくは入れ替え操作が行なわれなかった場合は図１３のステップＳ７に移行する（ステップＴ２０）。
【０１０９】
［実施形態２］  
上記実施形態１では、動画表示中に切り換え指示やスクロール指示／入れ替え指示があっても動画表示（動画を構成する各コマの静止画像の連続表示）を中断することなく行なうようにしたが、動画表示中に切換指示があると動画表示を中断して静止画切り換え処理を行い、必要に応じてスクロール指示／入れ替え指示を行うようにしてもよい。
【０１１０】
図１８は、本実施形態におけるワイドＬＣＤ画面での動画及び静止画表示のタイミングチャートであり、動画開始タイミング、静止画Ａの切り出し指示（ＤＩＳＰボタン１５の押し下げ）タイミング、動画再開指示のタイミング、静止画Ｂの切り出し指示タイミング、動画再開指示のタイミング、静止画Ｃの切り出しタイミングを時系列に記し、横軸に、それぞれ、表示領域Ｒ１における動画表示期間（黒塗りの帯部分）、動画像（動画データを構成する静止画）、表示領域Ｒ２における切り出された静止画Ａ、Ｂ、Ｃの表示期間、表示領域Ｒ２に表示される静止画（Ａ、Ｂ、Ｃ）の変遷、表示領域Ｒ３における切り出された静止画Ａ、Ｂ、・・の表示期間、表示領域Ｒ３に表示される静止画（Ａ、Ｂ、・・）の変遷が示されている。  
【０１１１】
本実施例では、図１８に示すように表示領域Ｒ１には再生された動画が切り換え指示が出されるか、再生が終わるか再生終了指示が出されるまで連続的に表示され、動画再開指示が出されると動画表示を再開する。
【０１１２】
図１８で、動画表示中に切り換え指示、つまり、ＤＩＳＰボタン１５が押されると静止画Ａが切り出されて表示領域Ｒ２に表示されると共に、動画表示が中断される。次に、動画再開指示により動画表示が再開されてからＤＩＳＰボタン１５が押されると静止画Ｂが切り出され表示領域Ｒ２に表示されると共に静止画Ａが表示領域Ｒ３に表示されると共に、動画表示が中断される。そして、動画再開指示により動画表示が再開されてから更にＤＩＳＰボタン１５が押されると静止画Ｃが切り出され、表示領域Ｒ２に表示されると共に静止画Ｂが表示領域Ｒ３に表示される。静止画Ａ、Ｂ、Ｃはそれぞれ次にＤＩＳＰボタン１５が押されるまで表示領域Ｒ２に表示され、ＤＩＳＰボタン１５が押されると表示領域Ｒ３に順次表示される。
【０１１３】
上記図１８のタイミングチャートに示したように、本実施形態では静止画の切り取り指示が出されると動画表示が中断するので、ユーザは表示領域Ｒ２やＲ３に表示されている静止画像をよく見て、時間に余裕を持ってスクロール処理や入れ替え処理を行ないながら所望の静止画を取得することができる。
【０１１４】
図１９は本実施形態におけるワイドＬＣＤ画面での動画及び静止画の画面表示動作を説明するためのフローチャートである。このフローチャートはデジタルカメラ１に本願発明のワイドＬＣＤの液晶モニタ画面における再生画像の表示／編集制御を実現させるためのプログラムを説明するためのものである。
【０１１５】
以下に示す処理は基本的にＣＰＵ４１が予めプログラムメモリ４２に記憶されたプログラムに従って実行する例で説明するが、全ての機能をプログラムメモリ４２に格納する必要はなく、必要に応じて、その一部若しくは全部をネットワークを介して受信して実現するようにしてもよい。以下、図１〜図１１、図１８、図１９に基いて説明する。
【０１１６】
なお、説明上、記憶媒体２０には動画撮影により記録された動画データ及び／または外部画像処理装置から受け取った動画データが図８に示したような形式で記録されているものとし、アスペクト比１６：９のワイド液晶モニタ画面１７の表示領域は、標準設定で図９（ｂ）に示したような表示領域Ｒ１、Ｒ２、Ｒ３、Ｒ４が設定され、表示領域Ｒ１のアスペクト比は１２：９、表示領域Ｒ２、Ｒ３、Ｒ４のアスペクト比をそれぞれ４：３であるものとし、ステップＳ１〜Ｓ４の動作は図１３のフローチャートと同様とする。
【０１１７】
ステップＳ４（図１３参照）で切り取り指示操作が行なわれた場合は、ＣＰＵ４１は画像メモリ３５からの動画データの読み出しと動画表示領域Ｒ１への表示経路を遮断して動画表示を停止（中断）させ（ステップＳ５−１）、図１６に示したような切り取り静止画表示処理を実行する（ステップＳ５−２）。
【０１１８】
静止画が表示領域に表示されると、ユーザはスクロール操作若しくは入れ替え操作（実施例では、カーソルキー１３及びＳＥＴキー１４による前スクロール操作または後スクロール操作若しくは入れ替え操作）を行なうことができるので、ＣＰＵ４１は入力回路５１からの信号を基に操作入力部５０でスクロール操作若しくは入れ替え操作が行なわれたか否かを調べ、スクロール操作若しくは入れ替え操作が行なわれなかった場合はステップＳ７に進み、操作が行なわれた場合はステップＳ６−２に進む（ステップＳ６−１）。
【０１１９】
スクロール操作若しくは入れ替え操作が行なわれた場合は、図１７に示すようなスクロール処理／入れ替え処理を実行する。なお、入れ替え操作のあった場合は図１７のステップＴ１６、ステップＴ１７で表示される動画は、動画表示停止時の画像となる（ステップＳ６−２）。
【０１２０】
ユーザは表示領域に表示されている静止画像を保存記録したいときはその静止画像をカーソル操作により指定して記憶媒体２０に保存記録させることができるので、ＣＰＵ４１は入力回路５１からの信号を基に操作入力部５０で切り取った静止画の指定操作が行なわれたか否かを調べ、指定操作が行なわれた場合はステップＳ８−２に進み、そうでない場合はステップＳ９に進む（ステップＳ７）。
【０１２１】
上記ステップＳ７で静止画の指定操作が行なわれた場合は、ＣＰＵ４１はデータメモリ４３に保持しているコマ数（＝図１６の静止画表示処理で保持したコマ数）を基に画像メモリ３５から該当する静止画データを取り出して圧縮処理を施し、記憶媒体２０の切り取り画像記録領域２０−５に保存記憶する。なお、切り取り画像記録領域２０−５に切り取られた静止画のコマ数等の記憶位置情報を記憶するようにしてもよい（ステップＳ８−１）。
【０１２２】
ＣＰＵ４１は画像メモリ３５からの動画データの読み出しと動画表示領域Ｒ１への表示経路を開通させて動画表示を停止（中断）させたコマの画像から再開させる（ステップＳ８−２）。
【０１２３】
ＣＰＵ４１は再生する動画データが終わったか、画像入力回路５１からの信号を基に操作入力部５０で動画の再生終了操作が行なわれたかを調べ、動画データが終わったか、画像入力回路５１からの信号を基に操作入力部５０で動画の再生終了操作が行なわれた場合は表示処理を終了し、そうでない場合はステップＳ２に戻る（ステップＳ９）。
【０１２４】
上記図１９のフローチャートに示した動作により、実施形態１と同様の効果を奏することができる。また、静止画像を切り取って静止画表示領域に表示する際には動画表示を停止するので、ユーザは、表示領域に表示された静止画を時間的余裕をもって見たり、スクロール操作等により所望の静止画を取得することができる。
【０１２５】
図２０は、本発明を適用したカメラ付き携帯電話２００の蓋を開いた状態の正面図に相当する外観図である。  
図示のように蓋部２０２は本体部２０３に対し第１ヒンジ部２０１を回転軸として開閉可能に配置されているほか、第２ヒンジ部２１２を軸（図示せず）に回転軸として矢印βに示すように回転可能になっている。また、符号２０６は表示部を示す。  
また、符号２０９はシャッターキー、符号２８５は再生モードキー、符号２８３は撮影モードキー、符号２８１はカーソルキー（上下左右方向移動ボタン）、符号２８２は決定キー、符号２８４は本体側面に設けられたズームキーを示す。
【０１２６】
カメラ付き携帯電話２００は撮影モード及び再生モードを備え、撮影モードでは静止画及び動画撮影を行なうことができる。また、再生モードでは静止画および動画の再生を行なうことができる。なお、カメラ付き携帯電話２００のカメラ部分に係わる内部回路及び動作については、上記実施形態１と同様であるので省略する。  
表示部２０６は１６：９のワイドアスペクト比の画像を表示可能な４２８×２４０ドットの液晶モニタ画面を備えている。１２：３のアスペクト比の画像を表示するときは３２０×２４０ドットの表示領域Ｒ１を用いる。再生モードで動画再生時には、３２０×２４０画素の１２：９のアスペクト比の領域Ｒ１に動画を表示する。また、静止画切り取り操作がなされると、残りの１４４×１０８画素の４：３のアスペクト比の領域Ｒ２に切り出した静止画を縮小表示することができる。
【０１２７】
以上、本発明のいくつかの実施例について説明したが本発明は上記各実施例に限定されるものではなく、種々の変形実施が可能であることはいうまでもない。
【図面の簡単な説明】
【０１２８】
【図１】デジタルカメラの外観図であり、図１（ａ）、（ｂ）は、デジタルカメラの正面図及び背面図、図１（ｃ）は、デジタルカメラの底面側斜視図である。
【図２】デジタルカメラの内部ブロック図である。
【図３】撮像素子から表示モニタ画面までのデータの流れを示す図である。
【図４】液晶モニタ画面の画素配列を示す図であり、図４（ａ）はデルタ配列の例、図４（ｂ）はストライプ配列の例を示す。
【図５】画像メモリ及び表示バッファの一例を示す図である。
【図６】記憶媒体のレイアウト例を示す図である。
【図７】記憶媒体に記録される静止画データの状態を示す図である。
【図８】記憶媒体に記録される動画データの状態を示す図である。
【図９】ワイドＬＣＤを備えたデジタルカメラの液晶モニタ上に設定した表示領域の実施例のいくつかを示す図である。
【図１０】従来の動画表示及び動画から切り取った静止画の表示例を示す図である。
【図１１】本発明の動画編集方法によるワイドＬＣＤ画面での動画及び切り取った静止画の表示例を示す図である。
【図１２】実施形態１におけるワイドＬＣＤ画面での動画及び静止画表示のタイミングチャートである。
【図１３】実施形態１におけるワイドＬＣＤ画面での動画及び静止画の画面表示動作を説明するためのフローチャートである。
【図１４】表示領域設定画面の一実施例を示す図である。
【図１５】図１３のフローチャートにおける表示領域設定処理動作を説明するための詳細なフローチャートである。
【図１６】図１３のフローチャートにおける静止画表示処理動作を説明するための詳細なフローチャートである。
【図１７】図１３のフローチャートにおける静止画のスクロール処理／入れ替え処理動作を説明するための詳細なフローチャートである。
【図１８】実施形態２におけるワイドＬＣＤ画面での動画及び静止画表示のタイミングチャートである。
【図１９】実施形態２におけるワイドＬＣＤ画面での動画及び静止画の画面表示動作を説明するためのフローチャートである。
【図２０】本発明を適用したカメラ付き携帯電話２００の蓋を開いた状態の正面図に相当する外観図である。
【符号の説明】
【０１２９】
１      デジタルカメラ
１３    カーソルキー（表示領域設定手段、スクロール指示操作手段、入れ替え表示領域指定手段）
１４    ＳＥＴキー（表示領域設定手段、スクロール指示操作手段、入れ替え表示領域指定手段）
１５    ＤＩＳＰボタン（切り取り指示操作手段）
１７    液晶モニタ画面（ワイドアスペクト比のモニタ画面）
２０    記憶媒体
２３    制御系
２４    音声出力系
２５    画像ファイル記憶系
２６    表示系（表示部）
２７    操作系
３２    撮影レンズ群
３４    映像処理部
３５    画像メモリ
４１    ＣＰＵ（制御手段、動画再生手段、静止画表示手段、スクロール画像表示手段、画像入れ替え表示手段、停止手段、解除手段）
４３    データメモリ
４８    ＶＲＡＭ（ビデオメモリ）
１０１  本画像
１０２  縮小画像
１４０  表示領域設定画面（表示領域設定手段）
３００  カメラ付き携帯電話
２００  動画ファイル
２０１  動画データ
３０６  表示部
３８１  カーソルキー
３８４  ズームキー
Ｒ１  動画表示領域
Ｒ２  静止画表示領域（第１の静止画表示領域）
Ｒ３、Ｒ４  静止画表示領域
【図１】
2006229267.tif 000003
【図２】
2006229267.tif 000004
【図３】
2006229267.tif 000005
【図４】
2006229267.tif 000006
【図５】
2006229267.tif 000007
【図６】
2006229267.tif 000008
【図７】
2006229267.tif 000009
【図８】
2006229267.tif 000010
【図９】
2006229267.tif 000011
【図１０】
2006229267.tif 000012
【図１１】
2006229267.tif 000013
【図１２】
2006229267.tif 000014
【図１３】
2006229267.tif 000015
【図１４】
2006229267.tif 000016
【図１５】
2006229267.tif 000017
【図１６】
2006229267.tif 000018
【図１７】
2006229267.tif 000019
【図１８】
2006229267.tif 000020
【図１９】
2006229267.tif 000021
【図２０】
2006229267.tif 000022